(57)【要約】【課題】操作ハンドル(2)が所定の回動範囲を超えて回動した場合でも、操作ハンドル(2)のガス栓本体(10)からの脱落を防止できるガス栓(1)を備えたガスメータユニットを提供すること。【解決手段】ガス流入側継手(31)とガス流出側継手(32)とが連結板(3)で一体的に設けられ、ガス栓(1)はガス流入側継手(31)に具備されている。ガス栓本体(10)の開放端部に延設される筒部(11)に抜け止め状態に且つ回動自在に装着させる操作ハンドル(2)の回動範囲は、回動規制手段によって回動規制され、操作ハンドル(2)が前記回動範囲を超えた拡大範囲にまで回動すると、操作ハンドル(2)が連結板(3)に当接することでそれ以上の回動を阻止する回動阻止手段が設けられている。操作ハンドル(2)がガス栓本体(10)に対して着脱可能な両者の組み付け初期位置は、前記拡大範囲から外れた位置に設けられている。【選択図】図１
2018146480.tif 000002
【特許請求の範囲】
【請求項１】
ガス引き込み用配管とガスメータのガス流入口との間に接続され且つガス栓が備えられたガス流入側継手と、ガス送り込み用配管とガスメータのガス流出口との間に接続されるガス流出側継手と、これらを並列状態に一体的に具備させる連結板とからなり、
前記ガス栓は、ガス栓本体の開放端部に延設される筒部に、ガス流路を開閉操作する操作ハンドルが抜け止め状態に且つ回動自在に装着され、前記操作ハンドルの回動範囲は、回動規制手段によって、ガス流路を開状態に位置する開位置と閉状態に位置する閉位置との間で回動規制されており、
前記操作ハンドルが前記回動範囲を超えた拡大範囲に、前記操作ハンドルのそれ以上の回動を阻止する回動阻止手段が設けられ、
前記回動阻止手段は、前記連結板と、それに当接する操作ハンドルとからなり、
前記操作ハンドルが筒部に対して着脱可能となる両者の組み付け初期位置は、前記拡大範囲から外れた位置に設けられているガスメータユニット。
【請求項２】
請求項１に記載のガスメータユニットにおいて、
操作ハンドルは、前記ガス栓本体の筒部に同軸に装着される筒状主体と、前記筒状主体の外周面から一側方に延長形成されているハンドル部とからなり、
前記筒状主体は、前記筒部を包囲する外筒と、前記外筒よりも高く突出し且つ前記ガス栓本体の筒部内に押し込まれる内筒とを備え、
前記回動規制手段は、前記筒部の周壁の一部を約９０度の開き角度で開放端側に開放するように切り欠いて形成される切欠部と、前記外筒の周面を貫通し且つ前記切欠部内へ差し込まれるストッパーピンとからなり、
前記内筒の先端には複数の係合鍔が所定の間隔をおいて半径方向外側に向かって突設されていると共に、前記筒部の前記切欠部よりも奥側の内周面には、前記係合鍔が奥側から係合する複数の被係合鍔が、前記係合鍔が通過可能な間隙部を介して、半径方向内側に向かって突設されており、
前記操作ハンドルが前記切欠部の形成範囲を超えて回動すると、前記係合鍔が前記間隙部に到達する前に、ハンドル部の先端が連結板に当接するように設定されているガスメータユニット。
【発明の詳細な説明】
【技術分野】
【０００１】
本発明は、ガスメータユニット、特に、ガス栓を備えたガスメータユニットに関する。
【背景技術】
【０００２】
一般に、地中の本管から延長するガス引き込み用配管と屋内のガス機器へガスを送り込むためのガス送り込み用配管との間に、ガスの使用量を計測するためのガスメータが吊設されている。
ガスメータは、計測器等が内蔵されているメータ本体と、メータ本体の頂面に並設されるガス流入口及びガス流出口とからなり、これらガス流入口及びガス流出口が、ガス引き込み用配管の下流端部、及び、ガス送り込み用配管の上流端部に、それぞれ略逆Ｕ字状のガス流入側継手及びガス流出側継手を介して接続される。なお、ガス流入側継手とガス流入口、及び、ガス流出側継手とガス流出口とは、それぞれ、ユニオンナットでネジ接続される。
なお、ガス流入側継手には、ガスメータへのガス流路を開閉するガス栓が設けられていると共に、ガス流出側継手には、検圧プラグ接続部が設けられているものがあり、これらガス栓を備えたガス流入側継手と、検圧プラグ接続部を備えたガス流出側継手とを、連結板を介して左右に並列するように一体化させたガスメータユニットがある。
このようなガスメータユニットを利用することにより、ガスメータの設置作業が簡略化され、集合住宅のパイプシャフト内のような狭い場所にでもガスメータを容易に設置することが出来る。
【０００３】
また、ガスメータユニットに具備させるガス栓としては、一般的なガス栓と同様に、ガス流路に連通するせん収容部の開放端に筒部が連設されたガス栓本体と、前記せん収容部にグリスを介して回動自在に収容されて前記ガス流路を開閉するせんと、前記筒部に相対回動可能に抜け止め状態に装着され且つ押えバネを介して前記せんを回動操作する操作ハンドルからなる構成のものが採用可能である。
なお、操作ハンドルの下面には半径方向外側に向かって突設させた複数の係合鍔が張り出しており、ガス栓本体の筒部の内周面には、半径方向内側に向かって複数の被係合鍔が突設されている。操作ハンドルの係合鍔を、筒部内の被係合鍔と被係合鍔との間に位置させる組み付け初期位置にて、係合鍔が被係合鍔よりも奥に位置するように操作ハンドルを筒部内に押し込んだ後に、所定角度回動させれば、係合鍔が被係合鍔に下方から係合し、操作ハンドルはガス栓本体に抜け止め状態に装着される。
【０００４】
この種のガス栓では、操作ハンドルに、ストッパーピンのような、操作ハンドルの回動規制手段が設けられている。ストッパーピンの先端部をガス栓本体の筒部内に突出させ、前記筒部内に、前記ストッパーピンの先端部が周方向に当接する当接部を９０度の間隔で設けることにより、操作ハンドルは、ストッパーピンと共に、前記当接部間を９０度の範囲内で回動可能となる。これにより、操作ハンドルは、せんを介してガス流路が開放する開位置から、ガス流路が閉塞される閉位置までの９０度の回動範囲内で回動可能となる。
【先行技術文献】
【特許文献】
【０００５】
【特許文献１】特開平１１−９４６２４号公報
【特許文献２】特開２０００−３４６２９７号公報
【特許文献３】特開２０００−３２９２５１号公報
【発明の概要】
【発明が解決しようとする課題】
【０００６】
ガスメータユニットに具備させるガス栓では、ガス栓の開閉操作は頻繁には行われないから、前記せん収容部内のせんも同様に頻繁には回動させられない。言い換えれば、両者間の摺動面に塗布されているグリスが混ぜ返されることがなく、せんは、せん収容部内に、押えバネの付勢力によって圧接された状態で、長期間に亘って、直射日光や温度変化等の影響を受け続けるから、せん収容部とせんとの摺動面におけるグリスによる膜が薄くなり、両者間の静止摩擦力が大きくなる。
【０００７】
このように、長期間放置され、ガス栓の操作力が大きくなったガス栓は、手による通常の操作では開閉操作することができないことがあり、このような場合には操作ハンドルを回動操作する初期操作力として、工具を利用した比較的大きな力が必要となる。
しかしながら、工具を用いて強制的に操作ハンドルを回動させると、勢い余って、操作ハンドルを、通常の回動範囲を越えて回転させてしまうことがあり、場合によっては、ストッパーピンを破損させてしまう不都合がある。
ストッパーピンが破損すると、操作ハンドルの回動規制が効かなくなり、操作ハンドルが前記回動範囲を超えて回動し、操作ハンドルの係合鍔が筒部の被係合鍔と被係合鍔との間に位置する前記組み付け初期位置に達すると、係合鍔が被係合鍔に対して非係合状態となるから、操作ハンドルは、押えバネの付勢力によってガス栓本体から飛び上がり、栓本体から外れてしまうといった問題が生じる。
【０００８】
本発明は、発明はこのような問題点を鑑みて講じたものであり、操作ハンドルが所定の回動範囲を超えて回動した場合でも、操作ハンドルのガス栓本体からの脱落を確実に防止できるガス栓を備えたガスメータユニットを提供することを目的とする。
【課題を解決するための手段】
【０００９】
上記目的を達成するために講じた本発明のガスメータユニットは、『ガス引き込み用配管とガスメータのガス流入口との間に接続され且つガス栓が備えられたガス流入側継手と、ガス送り込み用配管とガスメータのガス流出口との間に接続されるガス流出側継手と、これらを並列状態に一体的に具備させる連結板とからなり、
前記ガス栓は、ガス栓本体の開放端部に延設される筒部に、ガス流路を開閉操作する操作ハンドルが抜け止め状態に且つ回動自在に装着され、前記操作ハンドルの回動範囲は、回動規制手段によって、ガス流路を開状態に位置する開位置と閉状態に位置する閉位置との間で回動規制されており、
前記操作ハンドルが前記回動範囲を超えた拡大範囲に、前記操作ハンドルのそれ以上の回動を阻止する回動阻止手段が設けられ、
前記回動阻止手段は、前記連結板と、それに当接する操作ハンドルとからなり、
前記操作ハンドルが筒部に対して着脱可能となる両者の組み付け初期位置は、前記拡大範囲から外れた位置に設けられている』ことを特徴とする。
【００１０】
上記構成によれば、ガス流入側継手に一体的に設けられているガス栓本体の筒部に対し、操作ハンドルを前記組み付け初期位置にセットした後、操作ハンドルを押し回しすることで、操作ハンドルをガス栓本体に抜け止め状態にセットする。そして、操作ハンドルの回動範囲を、回動規制手段を組み付けることによって、ガス流路を開閉する所定の回動範囲となるようにした後に、ガス流入側継手を連結板に固定する。
操作ハンドルを工具で回動させたときに、回動規制手段を破損させてしまうと、操作ハンドルは前記回動範囲を超えた拡大範囲への回動が可能となるが、拡大範囲にて、回動阻止手段が機能し、操作ハンドルが連結板に当接することで、操作ハンドルのそれ以上の回動は阻止される。これにより、操作ハンドルは、前記拡大範囲を超えて回動することはない。操作ハンドルがガス栓本体に着脱可能な前記組み付け初期位置は、前記拡大範囲から外れて位置するように設定されているから、前記拡大範囲にてそれ以上の回動が阻止された操作ハンドルは前記組み付け初期位置に至ることはない。よって、操作ハンドルがガス栓本体から不用意に外れる不都合はない。
【００１１】
上記ガスメータユニットにおいて、望ましくは、『操作ハンドルは、前記ガス栓本体の筒部に同軸に装着される筒状主体と、前記筒状主体の外周面から一側方に延長形成されているハンドル部とからなり、
前記筒状主体は、前記筒部を包囲する外筒と、前記外筒よりも高く突出し且つ前記ガス栓本体の筒部内に押し込まれる内筒とを備え、
前記回動規制手段は、前記筒部の周壁の一部を約９０度の開き角度で開放端側に開放するように切り欠いて形成される切欠部と、前記外筒の周面を貫通し且つ前記切欠部内へ差し込まれるストッパーピンとからなり、
前記内筒の先端には複数の係合鍔が所定の間隔をおいて半径方向外側に向かって突設されていると共に、前記筒部の前記切欠部よりも奥側の内周面には、前記係合鍔が奥側から係合する複数の被係合鍔が、前記係合鍔が通過可能な間隙部を介して、半径方向内側に向かって突設されており、
前記操作ハンドルが前記切欠部の形成範囲を超えて回動すると、前記係合鍔が前記間隙部に到達する前に、ハンドル部の先端が連結板に当接するように設定されている』ことである。
【００１２】
操作ハンドルの筒状主体は、周面にストッパーピンが貫通する外筒と、半径方向外側に向かって係合鍔が張り出している内筒とからなり、前記係合鍔を、ガス栓本体の筒部内に突設する複数の被係合鍔間の間隙部に対応させた状態が、操作ハンドルのガス栓本体への組み付け初期位置である。
係合鍔を間隙部に通過させて、被係合鍔より奥側へ押込んだ後、操作ハンドルを所定方向に回動させて、係合鍔を被係合鍔に奥側から係合させると、操作ハンドルはガス栓本体に対して抜け止め状態に保持される。この状態にて、外筒の周面に貫通させたストッパーピンを、ガス栓本体の筒部に形成されている切欠部内に突出させることにより、操作ハンドルの回動範囲は、ストッパーピンが切欠部内で移動可能な約９０度に規制される。
ストッパーピンが損傷する等してこの回動範囲を超える拡大範囲にまで操作ハンドルが回動すると、操作ハンドルのハンドル部の先端が連結板に当接することによってそれ以上の回動が阻止される。操作ハンドルのハンドル部は、筒状主体から一方に所定の長さ突出させておくことで、ハンドル部の先端は、連結板に当接し易くなり、操作ハンドルが不用意に拡大範囲へ回動させられると、ハンドル部の先端を速やかに連結板に当接させて、その回動を阻止することが出来る。
【発明の効果】
【００１３】
本発明のガスメータユニットによれば、回動規制手段が損傷する等の異常事態が生じ、操作ハンドルを回動範囲を超えた拡大範囲にまで不用意に回動させてしまっても、操作ハンドルが連結板に当接することにより回動阻止手段が機能し、操作ハンドルのそれ以上の回動は阻止されて、操作ハンドルは、ガス栓本体との組み付け初期位置に至るまで回動することはないから、操作ハンドルがガス栓本体から外れる不都合はない。よって、安全性及び保安性の高いガス栓を備えたガスメータユニットを提供することが出来る。
また、ガスメータユニットの連結板を、操作ハンドルの回動阻止手段として利用出来るようにしたから、回動阻止手段としての部品を別途用意する必要がなく、操作ハンドルがガス栓本体から不用意に外れないようにしたガス栓を具備するガスメータユニットを、簡単な構造で組み付け作業が容易とすると共に、安価で提供することが出来る。
【図面の簡単な説明】
【００１４】
【図１】本発明の実施の形態のガスメータユニットの使用状態を示す斜視図である。
【図２】本発明の実施の形態のガスメータユニットを構成するガス流入側継手に備えられたガス栓の分解斜視図である。
【図３】本発明の実施の形態のガスメータユニットを構成するガス流入側継手に備えられたガス栓の操作ハンドル部分での断面図である。
【図４】本発明の実施の形態のガスメータユニットを構成するガス流入側継手に備えられたガス栓の組み付け初期位置での操作ハンドルとガス栓本体を示す断面図である。
【図５】本発明の実施の形態のガスメータユニットを構成するガス流入側継手に備えられたガス栓にて回動阻止手段を機能させた状態を示す側面図である。
【図６】本発明の実施の形態のガスメータユニットを構成するガス流入側継手に備えられたガス栓にて回動阻止手段を機能させた状態での操作ハンドルとガス栓本体の断面図である。
【発明を実施するための形態】
【００１５】
以下に、本発明を実施するための最良の形態について添付図面を参照しながら説明する。
この実施の形態に採用されるガスメータは従来のものと同様な構成であり、図１に示すように、計測器等が内蔵されているメータ本体(30)の頂面に、ガス流入口(30a)及びガス流出口(30b)が並列されており、ガス流入口(30a)とガス引き込み用配管（図示せず）の下流端部とは、略逆Ｕ字状のガス流入側継手(31)を介して接続されると共に、ガス流出口(30b)とガス送り込み用配管（図示せず）の上流端部とは、同じく略逆Ｕ字状のガス流出側継手(32)を介して接続される。ガス流入側継手(31)の下流端はガス流入口(30a)に、ガス流出側継手(32)上流端はガス流出口(30b)とは、それぞれ、ユニオンナット(33)でネジ接続される。
【００１６】
ガス流入側継手(31)には、メータ本体(30)へのガス流路を開閉するガス栓(1)が一体的に設けられており、ガス流出側継手(32)には、検圧プラグを接続させるためのプラグ接続口(32a)と、ガス送り込み用配管としてのフレキ管を接続させるフレキ管接続口(32b)(32c)が上下に開放している。
そして、ガス流入側継手(31)の下流端近傍、及び、ガス流出側継手(32)の上流端近傍にはそれぞれ取付片(34a)(34b)が突設されており、これら取付片(34a)(34b)を、金属製の連結板(3)の水平面部(3a)の両端近傍域にネジ止めにより取り付けることにより、ガス流入側継手(31)とガス流出側継手(32)とが連結板(3)によって一体化されたガスメータユニットが完成する。
連結板(3)の水平面部(3a)の後方には、傾斜板(3c)を介して、垂直面部(3b)が、上下へ延長形成されており、この垂直面部(3b)を、家屋の壁面や、パイプシャフト内の所定個所に取り付けることにより、ガスメータユニットを介して、ガスメータを固定することが出来る。
【００１７】
この実施の形態のガス流入側継手(31)に具備されているメータ用ガス栓(1)は、図２に示すように、逆円錐台形状のせん(12)を収容するせん収容部(10a)が、図面にて側方に開放するガス栓本体(10)と、ガス栓本体(10)の開放端に延設される筒部(11)に回動自在に装着されてせん(12)を回動操作する操作ハンドル(2)とからなり、せん(12)によって開閉されるガス流路は、ガス流入側継手(31)に連通するように構成されている。
せん(12)をせん収容部(10a)内に収容させた状態にて、せん収容部(10a)の内周面及びせん(12)の外周面はそれぞれ相互に摺動可能な摺動部となっており、潤滑・シール用のグリスが塗布される。
【００１８】
筒部(11)の開放端部は、薄肉の環状薄肉部(11a)が延設されており、この環状薄肉部(11a)には、約９０度の開き角度の範囲で開放端側に開放するように切り欠かれた切欠部(13)が形成されている。そして、切欠部(13)よりも奥側のせん収容部(10a)の内周面の対向位置には、一対の被係合鍔(14a)(14b)が内方に突設されている。被係合鍔(14a)(14b)間は間隙部(15a)(15b)が形成されており、一方の間隙部(15a)は他方の間隙部(15b)に比べて周方向に幅広に形成されている。
【００１９】
操作ハンドル(2)は、外筒(20a)と内筒(20b)とからなる筒状主体(20)と、外筒(20a)の外周面から一方向に突出するハンドル部(21)とからなり、外筒(20a)と内筒(20b)との間の環状溝部(22)内に、ガス栓本体(10)の環状薄肉部(11a)が回動自在に収容される。また、内筒(20b)の先端部には、上述の被係合鍔(14a)(14b)に、せん収容部(10a)の奥側から係合する係合鍔(25a)(25b)が半径方向外方に向かって突設されている。一方の大係合鍔(25a)は、被係合鍔(14a)(14b)間の間隙部(15a)(15b)のうち、広い方の間隙部(15a)をちょうど挿通可能な大きさに形成されていると共に、他方の小係合鍔(25b)は、狭い方の間隙部(15b)をちょうど挿通可能な大きさに形成されている。
【００２０】
また、内筒(20b)の中央には、せん(12)の頂面に突設された一対の突部(12a)を相対回動阻止状態に嵌め込む凹部(23)が開放していると共に、外筒(20a)の周面の所定位置には、図３に示すように、ストッパーピン(4)を挿通させるためのストッパーピン挿通孔(24)が貫通しており、これに対応する内筒(20b)の周面の所定位置には、ストッパーピン(4)の先端が差し込まれる差込穴(26)が形成されている。
【００２１】
上記したガス栓本体(10)と操作ハンドル(2)を組み付けるには、ガス栓本体(10)のせん収容部(10a)の開放端近傍にグリスを塗布すると共に、せん(12)を収容し、せん(12)の頂面に、せん(12)をせん収容部(10a)内に押し込むための押えバネ(40)をセットした後に、操作ハンドル(2)をガス栓本体(10)の筒部(11)に装着させる。
このとき、図４に示すように、一方の大係合鍔(25a)がそれがちょうど挿通可能な広い方の間隙部(15a)に、他方の小係合鍔(25b)がそれがちょうど挿通可能な狭い方の間隙部(15b)にそれぞれ対応させる。そして、操作ハンドル(2)の内筒(20b)の凹部(23)内にせん(12)の頂面の突部(12a)が嵌合させると共に、操作ハンドル(2)の環状溝部(22)に、ガス栓本体(10)の筒部(11)の環状薄肉部(11a)を、防水パッキン(41)及び押えバネ(40)を介して嵌め込んでいく。この状態が、ガス栓本体(10)と操作ハンドル(2)との組み付け初期位置であり、操作ハンドル(2)から手を離すと、押えバネ(40)の付勢力により、操作ハンドル(2)はガス栓本体(10)から脱落する。
【００２２】
上記組み付け初期位置にある操作ハンドル(2)を、せん収容部(10a)の奥側へ押込んで、大小係合鍔(25a)(25b)が、被係合鍔(14a)(14b)よりも奥に位置させた状態にて、操作ハンドル(2)を反時計回りに所定角度回動させる。これにより、大小係合鍔(25a)(25b)が被係合鍔(14a)(14b)に奥側からそれぞれ係合することとなり、操作ハンドル(2)は、筒部(11)に対して相対回動可能で且つ抜け止め状態に取り付けられる。操作ハンドル(2)を回動させると、押えバネ(41)によって浮き上がり防止状態にせん収容部(10a)内に収容されているせん(12)が共回りし、ガス流入側継手(31)内のガス流路を開閉させることができる。
【００２３】
この状態にて、操作ハンドル(2)の外筒(20a)の周面に開放するストッパーピン挿通孔(24)は、環状薄肉部(11a)に形成された切欠部(13)に対応するように設定されており、ストッパーピン挿通孔(24)からストッパーピン(4)を差込み、内筒(20b)の差込(26)に差し込むと、ストッパーピン(4)が切欠部(13)内に架設される態様となる。このストッパーピン(4)が切欠部(13)の一端(13a)から他端(13b)に至る９０度の範囲が操作ハンドル(2)の回動範囲となる。すなわち、図３に示すように、ストッパーピン(4)が切欠部(13)の一端(13a)に当接した状態が、ガス栓(1)の全閉状態であり、図示しないが、ストッパーピン(4)が切欠部(13)の他端(13b)に当接した状態がガス栓(1)の全開状態である。これらストッパーピン(4)と切欠部(13)とで、発明特定事項としての回動規制手段を構成している。
【００２４】
上記要領にて、ガス栓本体(10)に操作ハンドル(2)を組み付けたガス栓(1)を備えたガス流入側継手(31)と、他方のガス流出側継手(32)とを、それぞれ、取付片(34a)(34b)を介して、連結板(3)の水平面部(3a)にネジ止めにより一体化することで、図１に示したようなガスメータユニットが構成される。
ガス栓(1)は、頻繁に開閉操作することはなく、通常の使用時では上記した全開状態のままで、また、引っ越し等により長期間ガスを使用しない時には、上記した全閉状態のままで、せん(12)が押えバネ(40)によって押さえられた状態で長期間に亘り日光や温度変化等の影響を受けることとなる。これにより、せん収容部(10a)とせん(12)との摺動面に塗布されたグリスは薄くなり、操作ハンドル(2)を手で回動操作することは困難となることがある。
【００２５】
このような場合、工具を用いて操作ハンドル(2)を強制的に回動操作すると、操作ハンドル(2)に係る操作力が大きくなることで、ストッパピン(4)を、切欠部(13)の一端(13a)又は他端(13b)に比較的大きな力でぶつけてしまうことがある。このような場合、ストッパーピン(4)が折れたり、環状薄肉部(11a)の一部を破損させてしまうと、ストッパーピン(4)又は環状薄肉部(11a)を回動規制手段として機能させることが出来なくなり、操作ハンドル(2)が、切欠部(13)の形成範囲を超えた拡大範囲に回動してしまう不都合がある。
【００２６】
例えば、図３に示す全閉状態から、操作ハンドル(2)が、さらに、時計回りに回動させられた場合、図４に示した、操作ハンドル(2)の大小係合鍔(25a)(25b)が筒部(11)内の間隙部(15a)(15b)にちょうど対応する上記組み付け初期位置に達するより前に、図５に示すように、操作ハンドル(2)のハンドル部(21)の先端が、連結板(3)の水平面部(3a)に当接し、それ以上の回動が阻止される。すなわち、ハンドル部(21)の先端と連結板(3)の水平面部(3a)とが操作ハンドル(2)のそれ以上の回動を阻止する回動阻止手段として機能することとなり、ストッパーピン(4)又は環状薄肉部(11a)が破損する等して、操作ハンドル(2)の回動範囲を９０度に保持する回動規制手段が破損しても、操作ハンドル(2)は、図４に示すような組み付け初期位置に至ることはないので、操作ハンドル(2)がガス栓本体(10)から外れることはない。
【００２７】
また、ストッパーピン(4)が、切欠部(13)の他端(13b)に当接するガス栓の全開状態から、さらに、反時計回りに回動させられた場合、大係合鍔(25a)が間隙部(15b)の形成位置を通過するが、大係合鍔(25a)は間隙部(15b)よりも大きいため、大係合鍔(25a)が間隙部(15b)を脱出することはなく、操作ハンドル(2)が、ガス栓本体(10)から外れることはない。
【００２８】
このように、大小係合鍔(25a)(25b)と被係合鍔(14a)(14b)を利用して、操作ハンドル(2)をガス栓本体(10)に抜け止め状態に取り付けた状態のガス栓を備えたガス流入側継手(31)を、連結板(3)の水平面部(3a)にネジ止めにより一体化させたガスメータユニットでは、たとえ、操作ハンドル(2)に対する回動規制手段が破損して、操作ハンドル(2)が９０度の回動範囲を超えて回動可能となっても、操作ハンドル(2)がガス栓本体(10)に対して着脱可能となる組み付け初期位置に到達する前に、操作ハンドル(2)のハンドル部(21)の先端が水平面部(3a)に当接して、操作ハンドル(2)のそれ以上の回動を阻止できるようにしたから、ガス栓本体(10)からの操作ハンドル(2)の脱落を確実に防止することが出来ることとなり、安全性及び保安性が高く、構造が簡単で、且つ安価で組み付け作業が容易なガスメータユニットを提供することが出来る。
【符号の説明】
【００２９】
(1) ・・・・・・・・ガス栓
(10)・・・・・・・・ガス栓本体
(11)・・・・・・・・筒部
(2) ・・・・・・・・操作ハンドル
(3) ・・・・・・・・連結板
(30a) ・・・・・・・ガス流入口
(30b) ・・・・・・・ガス流出口
(31)・・・・・・・・ガス流入側継手
(32)・・・・・・・・ガス流出側継手
【図１】
2018146480.tif 000003
【図２】
2018146480.tif 000004
【図３】
2018146480.tif 000005
【図４】
2018146480.tif 000006
【図５】
2018146480.tif 000007
【図６】
2018146480.tif 000008